Podtech/llm-jp-corpus-v4-ja_patent huggingface dataset:
【手続補正書】
【提出日】平成19年8月13日(2007.8.13)
【手続補正１】
【補正対象書類名】特許請求の範囲
【補正対象項目名】全文
【補正方法】変更
【補正の内容】
【特許請求の範囲】
【請求項１】
（ａ）配列番号２、１２、１４、１６、１８、２０、２２、または２７記載のアミノ酸配列を含むポリペプチドをコードするポリヌクレオチド
（ｂ）配列番号１、１１、１３、１５、１７、１９、２１、または２６記載のヌクレオチド酸配列を含むポリヌクレオチド
（ｃ）配列番号７および８記載のプライマーセットと、鋳型として微生物由来のゲノムＤＮＡとを用いた、ＰＣＲのような核酸増幅手段によって得られるヌクレオチド配列を含むポリヌクレオチド
（ｄ）（ａ）〜（ｃ）のいずれかに記載のポリヌクレオチドによってコードされるポリペプチドの断片または派生物をコードするヌクレオチド配列を含むポリヌクレオチドであって、
前記派生物においては、前記ポリペプチドと比較して、１または２以上のアミノ酸残基が保存的に置換され、
前記断片または前記派生物は、Ｌ−ソルボソンデヒドロゲナーゼ活性を有する、
ポリヌクレオチド
（ｅ）ストリンジェントな条件下で、相補鎖が（ａ）〜（ｄ）のいずれかで定義されたポリヌクレオチドにハイブリダイズする、ポリヌクレオチド；および
（ｆ）少なくとも１００個の連続するヌクレオチドを比較して、（ａ）〜（ｄ）のいずれかで定義されたポリヌクレオチドに対して少なくとも６０％の相同性を有するポリヌクレオチド、
からなる群から選択される、Ｌ−ソルボソンデヒドロゲナーゼ活性を有するポリペプチドをコードするポリヌクレオチド
または、
前記ポリヌクレオチドに相補的なポリヌクレオチド。
【請求項２】
配列番号１記載の塩基配列のうち少なくとも５０個の連続するヌクレオチドを有する、請求項１記載のポリヌクレオチドの断片。
【請求項３】
請求項１または２記載のポリヌクレオチドにコードされるポリペプチド。
【請求項４】
請求項１記載のポリヌクレオチドを含む発現ベクター。
【請求項５】
請求項１または２記載のポリヌクレオチド、および／または請求項４記載の発現ベクターで形質転換された組換え生物であって、
真菌細胞、植物細胞、動物細胞および細菌細胞からなる群より選択される、組換え生物。
【請求項６】
生物がグルコノバクター（Gluconobacter）、アセトバクター（Acetobacter）、シュードモナス（Pseudomonas）およびエシェリキア（Escherichia）からなる群より選択される
属の細菌である、請求項５記載の組換え生物。
【請求項７】
Ｄ−ソルビトール、Ｌ−ソルボースおよびＬ−ソルボソンより選択される基質からのＬ−アスコルビン酸の製造方法であって、
（ａ）適切な培地中で、（ｉ）請求項５または６の生物の組換え体を増殖させるか、（ｉｉ）請求項３記載のポリペプチドをコードする非組換え微生物を増殖させるか、または（ｉｉｉ）前記基質を、請求項３記載の単離され、精製されたポリペプチドと接触させ；
（ｂ）該培地からＬ−アスコルビン酸を回収および分離すること
を含む方法。
【請求項８】
Ｄ−ソルビトール、Ｌ−ソルボースおよびＬ−ソルボソンより選択される基質からのＬ−アスコルビン酸の製造方法であって、
（ａ）適切な培地中で請求項５または６記載の組換え生物または請求項３記載のポリペプチドをコードする非組換え微生物を増殖させ；
（ｂ）Ｌ−ソルボソンデヒドロゲナーゼを単離および精製し；
（ｃ）（ｂ）のＬ−ソルボソンデヒドロゲナーゼの存在下で該基質をインキュベートし；そして
（ｄ）反応混合物からＬ−アスコルビン酸を回収および分離すること
を含む方法。
【請求項９】
適切な培地中で請求項１または２記載のポリヌクレオチドを含む組換え生物または請求項３記載のポリペプチドをコードする非組換え微生物を増殖し、細胞を破壊し、かつＬ−ソルボソンデヒドロゲナーゼを単離する、Ｌ−ソルボソンデヒドロゲナーゼの製造方法。
【請求項１０】
微生物の休止細胞を含む培地中で基質をビタミンＣに転換することを含み、産生されるビタミンCの収量が少なくとも１．８g/lである、ビタミンＣの製造方法。
【請求項１１】
微生物の休止細胞を含む培地中で基質をビタミンＣに転換することを含む、ビタミンＣの製造方法であって、
前記製造方法は、
（ａ）成長を可能にする条件下で微生物を培養し；
（ｂ）該微生物の成長速度を低減して休止細胞をもたらすような条件に変更し；そして
（ｃ）（ｂ）の休止細胞を使用して基質からビタミンＣを産生する
工程を含み、
工程（ａ）および（ｃ）がいかなる洗浄工程および／または単離工程によっても隔てられない、製造方法。
【請求項１２】
前記微生物は、請求項１または２記載のポリペプチドを含む組換え微生物または非組換え微生物である、請求項１０または１１記載の製造方法。
【請求項１３】
６００nmでのＯＤとして測定される、培地中の休止細胞の密度が少なくとも１０である、請求項１０〜１２のいずれか１項記載の方法。
【請求項１４】
微生物が、酵母、藻類、および細菌からなる群より選択される、請求項１０〜１３のいずれか１項記載の方法。
【請求項１５】
微生物が、カンジダ（Candida）、サッカロミセス（Saccharomyces）、チゴサッカロミセス（Zygosaccharomyces）、スキゾサッカロミセス（Scyzosaccharomyces）、クルイベロミセス（Kluyveromyces）、クロレラ（Chlorella）、グルコノバクター、アセトバクターアセチ（Acetobacter aceti）、パントエア（Pantoea）、クリプトコッカス（Cryptococcus）、シュードモナスおよびエシェリキアからなる群、または、請求項５または６記載の組換え生物、より選択される、請求項１０〜１４のいずれか１項記載の方法。
【請求項１６】
基質が、Ｄ−グルコース、Ｄ−ソルビトール、Ｌ−ソルボース、Ｌ−ソルボソン、２−ケト−Ｌ−グロナート、Ｄ−グルコナート、２−ケト−Ｄ−グルコナートおよび２，５−ジケト−グルコナートからなる群より選択される、請求項１０〜１５のいずれか１項記載の方法。
【請求項１７】
基質からビタミンＣおよび２−ケト−Ｌ−グロン酸の両方を産生できる微生物を使用し、ビタミンＣおよび２−ＫＧＡの濃度の比が０．１を超える、請求項１０〜１６のいずれか１項記載の方法。
【請求項１８】
培地からのビタミンＣの単離、および場合により一つまたは複数の精製工程をさらに含む、請求項７、８、および１０〜１７のいずれか１項記載の方法。
【請求項１９】
すべての精製工程が水性環境で行われる、請求項１８記載の方法。
【請求項２０】
更に、電気透析を用いて培地中の成分からビタミンＣを分離することを含む、請求項７、８、および１０〜１９のいずれか１項記載の方法。
【手続補正書】
【提出日】平成19年3月27日(2007.3.27)
【手続補正１】
【補正対象書類名】特許請求の範囲
【補正対象項目名】全文
【補正方法】変更
【補正の内容】
【特許請求の範囲】
【請求項１】
Ｓ．アウレウスに対して防御免疫をもたらし、１個以上の追加のポリペプチド領域が存在する場合には前記追加の領域は配列番号２のアミノ酸６０９から６４５を含むカルボキシ末端を与えない、配列番号１と少なくとも９０％同一なアミノ酸配列を含むポリペプチド免疫原。
【請求項２】
前記ポリペプチドが、配列番号３と少なくとも９０％同一なアミノ酸配列、又は配列番号１と少なくとも９０％同一なアミノ酸配列を含むその断片からなる、請求項１に記載のポリペプチド。
【請求項３】
前記ポリペプチドが、配列番号３と少なくとも９４％同一なアミノ酸配列、又は配列番号１と少なくとも９４％同一なアミノ酸配列を含むその断片からなる、請求項２に記載のポリペプチド。
【請求項４】
前記ポリペプチドが、配列番号１、配列番号３又は配列番号４２と少なくとも９４％同一なアミノ酸配列からなる、請求項３に記載のポリペプチド。
【請求項５】
前記ポリペプチドが、配列番号１、３、７、１７、２０又は４２のアミノ酸配列から本質的になる、請求項１に記載のポリペプチド。
【請求項６】
前記ポリペプチドが、配列番号１、３、７、１７、２０又は４２のアミノ酸配列からなる、請求項５に記載のポリペプチド。
【請求項７】
配列番号１と少なくとも９０％同一なアミノ酸配列とカルボキシ末端又はアミノ末端において前記配列に共有結合した１個以上の追加の領域部分とからなり、各領域又は部分が以下の諸性質、すなわち、免疫応答を増強する性質、精製を容易にする性質、又はポリペプチドの安定性を高める性質のうち少なくとも１つを有する領域又は部分から独立に選択される、配列番号１と少なくとも９０％同一なアミノ酸配列を含む免疫原。
【請求項８】
請求項１から７のいずれか一項に記載の免疫原の免疫学的有効量と薬剤として許容される担体とを含む、患者において防御免疫応答を誘導することができる組成物。
【請求項９】
前記組成物がさらにアジュバントを含む、請求項８に記載の組成物。
【請求項１０】
請求項１から６のいずれか一項に記載のポリペプチド免疫原をコードするヌクレオチド配列を含む組換え遺伝子を含む核酸。
【請求項１１】
前記組換え遺伝子がシグナルペプチドコード配列及び細胞壁局在化シグナル配列の少なくとも実質的にすべてを欠く、請求項１０に記載の核酸。
【請求項１２】
前記組換え遺伝子が、酵母発現に対して最適化された１個以上のコドンを含む、請求項１０に記載の核酸。
【請求項１３】
前記ヌクレオチド配列が、酵母における発現に対して最適化された少なくとも５０％のコドンである、請求項１２に記載の核酸。
【請求項１４】
前記核酸が発現ベクターである、請求項１０に記載の核酸。
【請求項１５】
前記ヌクレオチド配列が、配列番号３０、配列番号３１、配列番号３２、配列番号３３、配列番号３４、配列番号３５、配列番号３６、配列番号３７、配列番号３８、配列番号３９、配列番号４０、配列番号４１、配列番号４６、配列番号４７、配列番号４８、配列番号４９、配列番号５０、配列番号５１、配列番号５２及び配列番号５３からなる群から選択される、請求項１０に記載の核酸。
【請求項１６】
前記核酸が発現ベクターである、請求項１５に記載の核酸。
【請求項１７】
請求項１０から１６のいずれか一項に記載の核酸を含む組換え細胞。
【請求項１８】
（ａ）ポリペプチドが発現される条件下で請求項１７に記載の組換え細胞を増殖させるステップ、および
（ｂ）前記ポリペプチドを精製するステップ、
を含む、防御免疫をもたらすＳ．アウレウスポリペプチドを製造する方法。
【請求項１９】
前記組換え細胞がＳ．セレビシエである、請求項１８に記載の方法。
【請求項２０】
ポリペプチドを含む免疫原の免疫学的有効量を含み患者において防御免疫応答を誘導する医薬組成物であって、前記ポリペプチドが配列番号１と少なくとも９０％同一なアミノ酸配列を含み、Ｓ．アウレウスに対する防御免疫をもたらす、前記医薬組成物。
【請求項２１】
前記免疫原が請求項１から７のいずれか一項に記載の免疫原である、請求項２０に記載の医薬組成物。
【請求項２２】
前記患者がヒトである、請求項２１に記載の医薬組成物。
【請求項２３】
前記患者がＳ．アウレウス感染に対して予防的に治療される、請求項２２に記載の医薬組成物。
【請求項２４】
患者において防御免疫応答を誘導する医薬組成物であって、請求項１８に記載の方法によって製造されたポリペプチドの免疫学的有効量を含む、前記医薬組成物。
【請求項２５】
患者において既往反応を誘導する医薬組成物であって、ポリペプチドを含む免疫原の有効量を含み、前記ポリペプチドは配列番号１と少なくとも９０％同一なアミノ酸配列を含み、Ｓ．アウレウスに対して防御免疫をもたらす、前記医薬組成物。
【請求項２６】
前記既往反応が、既存の力価に対して少なくとも３倍の増加した幾何級数的に増加する力価（ｇｅｏｍｅｔｒｉｃ  ｔｉｔｅｒ）を３日以内にもたらす、請求項２５に記載の医薬組成物。
【請求項２７】
Ｓ．アウレウス感染に対して防御免疫をもたらすＯＲＦ０６５７ｎ関連ポリペプチド、又は配列番号１と少なくとも９０％同一なアミノ酸配列を含むその断片をコードする酵母に対して最適化された核酸配列。
【請求項２８】
前記核酸配列がＯＲＦ０６５７ｎシグナルペプチドも細胞壁局在化シグナル配列もコードしない、請求項２７に記載の酵母に対して最適化された核酸。
【請求項２９】
（ａ）Ｓ．アウレウス感染に対して防御免疫をもたらすポリペプチドをコードする組換え遺伝子を含む組換え酵母細胞を前記ポリペプチドが発現される条件下で増殖させるステップ（前記ポリペプチドは完全長ＯＲＦ０６５７ｎ関連ポリペプチド、又は配列番号１と少なくとも９０％同一なアミノ酸配列を含むその断片である。）、および
（ｂ）前記ポリペプチドを精製するステップ、
を含む、Ｓ．アウレウスに対して防御免疫をもたらすポリペプチドを製造する方法。
【請求項３０】
前記組換え遺伝子が、機能的ＯＲＦ０６５７ｎ細胞壁局在化シグナル配列をコードしない、請求項２９に記載の方法。
【請求項３１】
前記組換え遺伝子が、機能的ＯＲＦ０６５７ｎ細胞壁局在化シグナル配列もシグナルペプチド配列もコードしない、請求項２９に記載の方法。
【請求項３２】
前記組換え酵母細胞がＳ．セレビシエであり、前記ヌクレオチド配列が配列番号１、３、７、１７又は２０のポリペプチドをコードする、請求項２９に記載の方法。
【手続補正書】
【提出日】平成19年5月14日(2007.5.14)
【手続補正１】
【補正対象書類名】特許請求の範囲
【補正対象項目名】全文
【補正方法】変更
【補正の内容】
【特許請求の範囲】
【請求項１】
コーヒー入れ器であって、
或る量の挽いたコーヒーを受け入れるための抽出バスケットと、
少なくとも１つの湯の流れを前記抽出バスケットに導入するための少なくとも１つのジェットポートとを有し、
該少なくとも１つのジェットポートは、前記湯の流れを前記抽出バスケットに送り込んで、前記抽出バスケットを湯で部分的に満たし、前記抽出バスケットに収容された前記挽いたコーヒーと混ぜ合わせ、コーヒーを入れることができるように、位置決めされ、
前記少なくとも１つのジェットポートはまた、前記抽出バスケットを湯で部分的に満たしたときに、前記少なくとも１つの湯の流れを前記抽出バスケット内の水の高さ位置よりも下方の位置で前記抽出バスケットに送り込み、次に前記コーヒー挽き粉を乱流作用によりかき回し、かき混ぜて、実質的に流動化された層の水浮コーヒー挽き粉を作り、入れた状態のコーヒーを作る、ように位置決めされ、
前記コーヒー挽き粉を実質的に通すことなしに前記入れた状態のコーヒーを通過させることができる少なくとも１つのフィルタ要素を有し、
前記抽出バスケットが、前記少なくとも１つのジェットポートと流体連通しているプレナムチャンバと、該プレナムチャンバへの湯の供給を受け入れるための開口した供給ポートとを構成する、
コーヒー入れ器。
【請求項２】
前記少なくとも１つのジェットポートは、関連した前記湯の流れを、前記抽出バスケットに入れられた前記コーヒー挽き粉の高さ位置よりも下方の位置で前記抽出バスケット内に導入することができるように、位置決めされた、請求項１記載のコーヒー入れ器。
【請求項３】
前記少なくとも１つのジェットポートは、湯の流れを、前記抽出バスケットに、全体的に接線方向に、噴射することができるように、位置決めされ、ねらいが定められている、請求項１又は請求項２記載のコーヒー入れ器。
【請求項４】
前記少なくとも１つのジェットポートが、対応した複数本の湯の流れを前記抽出バスケット内に導入するための複数個のジェットポートを有し、前記各ジェットポートは、前記抽出バスケットが湯で部分的に満たされたときに、関連した前記湯の流れを、前記抽出バスケット内の水の高さ位置よりも下方の位置で、前記抽出バスケット内に送り込み、次に前記コーヒー挽き粉を乱流作用によりかき回し、かき混ぜて、実質的に流動化された層の水浮コーヒー挽き粉を作り、入れた状態のコーヒーを作るように、位置決めされている、請求項１記載のコーヒー入れ器。
【請求項５】
前記複数個のジェットポートは、関連の湯の流れを、共通の旋回方向において前記抽出バスケットに、全体的に接線方向に、噴射することができるように、位置決めされ、ねらいが定められている、請求項４記載のコーヒー入れ器。
【請求項６】
前記少なくとも１つのフィルタ要素は、前記抽出バスケットの壁部分を構成する、請求項１記載のコーヒー入れ器。
【請求項７】
前記抽出バスケットは、該抽出バスケットに入っている、水に浮いたコーヒー挽き粉の流動化層の目視観察を可能にする実質的に透明な窓を更に有する、請求項１記載のコーヒー入れ器。
【請求項８】
前記少なくとも１つのジェットポートは、その下流側端部に向かう方向に減少する断面寸法を備えたテーパ付きプロフィールを構成し、
前記ジェットポートの上流側端部に全体的に設けられたフィルタスクリーンを有する、
請求項１記載のコーヒー入れ器。
【請求項９】
前記抽出バスケットは、全体的に円筒形の底壁、直立側壁を構成する全体としてボウル状の形態を有し、前記底壁は前記プレナムチャンバを形成する疑似底部を構成し、前記側壁は、前記疑似底部と流体連通している複数個の中空直立リブを構成し、前記各リブは、前記湯の流れを、前記抽出バスケット内に入っているコーヒー挽き粉の高さ位置よりも下方の位置で、前記抽出バスケット内に送り込むように、位置決めされた前記少なくともジェットポートを構成する、請求項１又は請求項４記載のコーヒー入れ器。
【請求項１０】
前記各中空リブが複数個の前記ジェットポートを構成し、該ジェットポートの少なくとも１つは、湯の流れを、前記抽出バスケット内に入っているコーヒー挽き粉の高さ位置よりも下方の場所で、前記抽出バスケット内に送り込むよう位置決めされている、請求項９記載のコーヒー入れ器。
【請求項１１】
前記複数個の中空リブは、前記側壁周りに約１２０°間隔で配置された３つのリブを有する、請求項９記載のコーヒー入れ器。
【請求項１２】
前記少なくとも１つのフィルタ要素は、隣接した対をなす前記中空リブ相互間に全体的に延びる前記抽出バスケットの側壁部分を構成する、請求項９記載のコーヒー入れ器。
【手続補正書】
【提出日】平成19年6月21日(2007.6.21)
【手続補正１】
【補正対象書類名】特許請求の範囲
【補正対象項目名】全文
【補正方法】変更
【補正の内容】
【特許請求の範囲】
【請求項１】
配列番号２の野生型グルコースデヒドロゲナーゼ（ＧＤＨ）の少なくとも１．５倍のＧＤＨ活性でグルコースをグルコノラクトンへ、またはニコチンアミドアデニンジヌクレオチドを還元型ニコチンアミドアデニンジヌクレオチドへと変換可能なポリペプチドであって、該ポリペプチドは、配列番号５４と少なくとも９１％同一であるアミノ酸配列を含む、ポリペプチド。
【請求項２】
前記アミノ酸配列は、１６５位においてロイシンを含む、請求項１に記載のポリペプチド。
【請求項３】
前記アミノ酸配列は、１６５位においてメチオニン、１９４位においてスレオニン、１９７位においてリジン、２０４位においてグルタミン酸、２０６位においてアルギニンを含む、請求項１に記載のポリペプチド。
【請求項４】
配列番号５８、配列番号７２、配列番号７４、配列番号８４、配列番号１６０、配列番号１６４、または配列番号１６８のアミノ酸配列を含む、請求項１に記載のポリペプチド。
【請求項５】
配列番号５８、配列番号７２、配列番号７４、配列番号８４、配列番号１６０、配列番号１６４、または配列番号１６８に対して１アミノ酸〜６アミノ酸の置換、欠失、および／または挿入を含む、請求項１に記載のポリペプチド。
【請求項６】
請求項１〜請求項５のうちのいずれか１項に記載のポリペプチドのフラグメントであって、該フラグメントは、配列番号２の野生型グルコースデヒドロゲナーゼ（ＧＤＨ）の少なくとも１．５倍〜約１１倍のＧＤＨ活性でグルコースをグルコノラクトンへ、またはニコチンアミドアデニンジヌクレオチドを還元型ニコチンアミドアデニンジヌクレオチドへと変換可能である、フラグメント。
【請求項７】
５０℃かつｐＨ７での２０分間のインキュベーション後に初期のＧＤＨ活性のうちの８０％よりも高い活性を保持する、請求項１〜請求項５のうちのいずれか１項に記載のポリペプチド。
【請求項８】
請求項１に記載のポリペプチドであって、該ポリペプチドは、配列番号２の野生型グルコースデヒドロゲナーゼ（ＧＤＨ）の少なくとも２．５倍のＧＤＨ活性でグルコースをグルコノラクトンへ、またはニコチンアミドアデニンジヌクレオチドを還元型ニコチンアミドアデニンジヌクレオチドへと変換可能であり、前記アミノ酸配列は、配列番号５６、配列番号６４、または配列番号７４を含む、ポリペプチド。
【請求項９】
請求項１に記載のポリペプチドであって、該ポリペプチドは、配列番号２の野生型グルコースデヒドロゲナーゼ（ＧＤＨ）の少なくとも３．５倍のＧＤＨ活性でグルコースをグルコノラクトンへ、またはニコチンアミドアデニンジヌクレオチドを還元型ニコチンアミドアデニンジヌクレオチドへと変換可能であり、前記アミノ酸配列は、配列番号８４、配列番号１６０、配列番号１６４、または配列番号１６８を含む、ポリペプチド。
【請求項１０】
単離および精製されている、請求項１に記載のポリペプチド。
【請求項１１】
凍結乾燥形態である、請求項１に記載のポリペプチド。
【請求項１２】
請求項１に記載のポリペプチドと、適切なキャリアとを含む、組成物。
【請求項１３】
請求項１〜請求項５のうちのいずれか１項に記載のポリペプチドをコードする、ポリヌクレオチド。
【請求項１４】
請求項１３に記載のポリヌクレオチドであって、該ポリヌクレオチドは、配列番号５４、配列番号５８、配列番号７２、配列番号７４、配列番号８４、配列番号１６０、配列番号１６４、または配列番号１６８を含むポリペプチドをコードし、かつ該ポリヌクレオチドは、配列番号５３、配列番号５７、配列番号７１、配列番号７３、配列番号８３、配列番号１５９、配列番号１６３、または配列番号１６７のヌクレオチド配列を含む、ポリヌクレオチド。
【請求項１５】
プロモーターに作動可能に連結された請求項１３に記載のポリヌクレオチドを含む、発現ベクター。
【請求項１６】
請求項１５に記載のポリヌクレオチドを発現するように形質転換された、宿主細胞。
【請求項１７】
請求項１に記載のＧＤＨポリペプチドを生成する方法であって、
（ａ）該ポリペプチドをコードする核酸配列を含むポリヌクレオチド構築物を含有する宿主細胞を、該ポリペプチドの産生のために適切な条件下で培養する工程；ならびに
（ｂ）該ポリペプチドを回収する工程；
を包含する、方法。
【手続補正書】
【提出日】平成19年8月9日(2007.8.9)
【手続補正１】
【補正対象書類名】特許請求の範囲
【補正対象項目名】全文
【補正方法】変更
【補正の内容】
【特許請求の範囲】
【請求項１】
ガム基剤部分と可溶性部分とを含むチューインガム組成物であって、当該可溶性部分はモナチンまたはその塩を含む、前記組成物。
【請求項２】
前記組成物の量は、モナチンまたはその塩の代わりにショ糖を含有する同じ量のチューインガム組成物より、少ないカロリーと炭水化物とを含む、請求項1のチューインガム組成物。
【請求項３】
モナチンまたはその塩を含むチューインガム組成物であって、当該モナチンまたはその塩は、チューインガム組成物中にモナチンまたはその塩の代わりの他の強力甘味剤と比較して、長期の甘味と明らかなまたは増強された風味を与える量で存在する、前記組成物。
【請求項４】
前記他の強力甘味剤は、アスパルタームまたはスクラロースから選択される、請求項3のチューインガム組成物。
【請求項５】
モナチンまたはその塩により与えられる増強された長期の甘味を有するモナチンで甘くしたチューインガム組成物の製造法であって、
(a)生合成経路を介してモナチンまたはその塩を産生するステップ；
(b)当該モナチンまたはその塩を他の成分と組合せるステップ；および
(c)チューインガム組成物を生成するステップ、
をむ、前記方法。
【請求項６】
モナチンまたはその塩を含むチューインガム組成物であって、当該モナチンまたはその塩は増強された長期の甘味を与える量で存在する、前記組成物。
【請求項７】
前記モナチンまたはその塩は、アスパルタームまたはスクラロースと比較して、長期の甘味を与える量で存在する、請求項1のチューインガム組成物。
【請求項８】
前記可溶性部分は柑橘類風味をさらに含む、請求項1のチューインガム組成物。
【請求項９】
前記可溶性部分は柑橘類風味をさらに含み、かつ前記モナチンまたはその塩は柑橘類風味により提供される風味を増強する量で存在する、請求項1のチューインガム組成物。
【請求項１０】
前記組成物は、0.001〜1.1wt％のモナチンまたはその塩を含む、請求項1のチューインガム組成物。
【請求項１１】
前記組成物は、0.009〜0.1wt％のR,Rモナチンまたはその塩を含む、請求項1のチューインガム組成物。
【請求項１２】
組前記成物は、0.1〜1.1wt％のS,Sモナチンまたはその塩を含む、請求項1のチューインガム組成物。
【請求項１３】
前記組成物は、0〜1.1wt％のS,Sモナチンまたはその塩と、0〜0.1wt％のR,Rモナチンまたはその塩とを含有する、請求項1のチューインガム組成物。
【請求項１４】
組成物は、0.1wt％以下のR,Rモナチンまたはその塩を含み、かつS,S、S,R、またはR,Sモナチンまたはその塩を実質的に含まない、請求項1のチューインガム組成物。
【請求項１５】
組成物は、1.1wt％またはそれ以下のS,Sモナチンまたはその塩を含み、かつR,R、S,R、またはR,Sモナチンまたはその塩を実質的に含まない、請求項1のチューインガム組成物。
【請求項１６】
前記モナチンまたはその塩は、基本的にR,Rモナチンまたはその塩からなる、請求項1のチューインガム組成物。
【請求項１７】
前記モナチンまたはその塩は、基本的にS,Sモナチンまたはその塩からなる、請求項1のチューインガム組成物。
【請求項１８】
前記可溶性部分はシクラメートをさらに含む、請求項1のチューインガム組成物。
【請求項１９】
前記可溶性部分はエリスリトールをさらに含む、請求項1のチューインガム組成物。
【請求項２０】
ガム基剤部分と可溶性部分とを含むチューインガム組成物であって、当該可溶性部分は立体異性体的に過剰のモナチン混合物を含み、かつ当該モナチン混合物は生合成経路により産生される、前記組成物。
【請求項２１】
前記混合物は主にR,Rモナチンまたはその塩である、請求項20のチューインガム組成物。
【請求項２２】
前記混合物は主にS,Sモナチンまたはその塩である、請求項20のチューインガム組成物。
【請求項２３】
ガム基剤部分と可溶性部分とを含むチューインガム組成物であって、当該可溶性部分は生合成経路により製造されるモナチン組成物を含み、かつ当該モナチン組成物は石油化学的、毒性の、または有害な汚染物質を含有しない、上記組成物。
【請求項２４】
ガム基剤部分と可溶性部分とを含むチューインガム組成物はであって、ここで可溶性部分はモナチンまたはその塩を含み、モナチンまたはその塩は、生合成経路により産生され、組換え細胞から単離され、当該組換え細胞は石油化学的、毒性の、または有害な汚染物質を含有しない、上記組成物。
【請求項２５】
前記ガム基剤部分は3〜50wt％のエラストマー；0.5〜25wt％の軟化剤；2〜30wt％の乳化剤；5〜75wt％の樹脂；および0〜20wt％の充填剤を含む、請求項1のチューインガム組成物。
【請求項２６】
前記可溶性部分はバルク甘味剤をさらに含む、請求項1のチューインガム組成物。
【請求項２７】
前記可溶性部分は強力甘味剤または低血糖性炭水化物をさらに含む、請求項1のチューインガム組成物。
【請求項２８】
前記可溶性部分は風味剤をさらに含む、請求項1のチューインガム組成物。
【請求項２９】
前記可溶性部分は、モナチンまたはその塩とアセスルフェムKとの混合物を含む、請求項1のチューインガム組成物。
【請求項３０】
前記ガム基剤部分は15〜30wt％の組成物を含む、請求項1のチューインガム組成物。
【請求項３１】
モナチンまたはその塩を含むチューインガム組成物の製造方法であって、グルコース、トリプトファン、インドール-3-乳酸、インドール-3-ピルビン酸、およびモナチン前駆体から選択される少なくとも1つの基質から、モナチンまたはその塩を製造することを含む、前記方法。
【請求項３２】
モナチンまたはその塩を含むチューインガム組成物の製造方法であって、生合成経路を介してモナチンまたはその塩を製造することを含む、前記方法。
【請求項３３】
モナチンまたはその塩を含むチューインガム組成物の製造方法であって、少なくとも1つの生物学的変換を使用してモナチンまたはその塩を製造することを含む、前記方法。
【請求項３４】
前記チューインガム組成物が、0〜1.1wt％のS,Sモナチンまたはその塩と、0〜0.1wt％のR,Rモナチンまたはその塩とを含む、請求項31の方法。
【請求項３５】
モナチン組成物を含むチューインガム組成物の製造方法であって、(a)組換え細胞中で生合成経路を介してモナチンまたはその塩を製造するステップ；(b)当該組換え細胞から当該モナチン組成物を単離するステップ、を含み、ここで当該モナチン組成物はモナチンまたはその塩と他の食用または飲用の物質とからなる、前記方法。
【請求項３６】
モナチンまたはその塩と、エリスリトール、トレハロース、ソルビトール、マンニトール、マルチトール、キシリトール、アリテーム、タウマチン、スクラロース、アスパルターム、アセスルフェムK、ジヒドロカルコン、サッカリン、ネオテーム、シクラメート、ステビオシド、モグロシド、タガトース、イソマルト、ラクチトール、グリチルリチン、フィロヅルシン、モネリン、マビンリン、ブラゼイン、クルクリン、ミラクリン、およびペンタジンから選択される少なくとも1つの他の成分とを含む、チューインガム組成物。
【手続補正書】
【提出日】平成19年8月3日(2007.8.3)
【手続補正１】
【補正対象書類名】特許請求の範囲
【補正対象項目名】全文
【補正方法】変更
【補正の内容】
【特許請求の範囲】
【請求項１】
ゲーム装置であって、
非平面三次元ビデオ画像を発生可能なディスプレイ・ユニットであって、各々が非平面三次元ビデオ画像を表示可能な、非平面三次元表示画面を備えているディスプレイ・ユニットと、
値入力デバイスと、
前記ディスプレイ・ユニット及び前記値入力デバイスに接続されているコントローラであって、プロセッサと、該プロセッサに接続されているメモリとを備えているコントローラと
を備えており、
前記コントローラは、人が賭けを行うことができるようにプログラムされており、
前記コントローラは、二次元画像を三次元画像に変換するようプログラムされており、
前記コントローラは、前記三次元画像データから、ゲームを表している非平面三次元ビデオ画像を前記ディスプレイ・ユニット上に発生させるようにプログラムされており、
前記コントローラは、前記非平面三次元ビデオ画像を表示した後、前記三次元ビデオ画像が表す前記ゲームの成果に伴う料金払戻を決定するようにプログラムされている
ことを特徴とするゲーム装置。
【請求項２】
請求項１記載のゲーム装置において、前記ディスプレイ・ユニットはさらに、前記非平面三次元ビデオ画像を前記非平面三次元表示画面上に投射可能な投射レンズ集成体を備えていることを特徴とするゲーム装置。
【請求項３】
請求項１記載のゲーム装置において、前記非平面三次元表示画面は、ドーム形状又は半円筒形状をなすことを特徴とするゲーム装置。
【請求項４】
請求項１記載のゲーム装置において、前記非平面三次元表示画面は、人の顔の形状をなし、前記コントローラは、顔の非平面三次元ビデオ画像を、前記非平面三次元表示画面上に発生させるようにプログラムされていることを特徴とするゲーム装置。
【請求項５】
請求項１記載のゲーム装置において、前記非平面三次元表示画面は、内面及び外面を備えており、前記非平面三次元ビデオ画像は、前記内面上に投射され、前記外面上で人が可視可能に構成されていることを特徴とするゲーム装置。
【請求項６】
請求項１記載のゲームにおいて、前記コントローラは更に、三次元画像コントローラを備えており、
前記三次元画像コントローラは、前記二次元画像データを受信するようにプログラムされており、
前記三次元画像コントローラは、二次元画像データを前記非平面三次元表示画面にビデオ画像として表示するときに、二次元画像データの画像歪み、輝度歪み、及び色収差の少なくとも１つを補正するようにプログラムされており、
前記三次元画像コントローラは、前記補正した二次元画像データを、前記非平面三次元表示画面上に非平面三次元ビデオ画像として表示させるようにプログラムされている
ことを特徴とするゲーム装置。
【請求項７】
請求項１記載のゲーム装置において、前記コントローラは、三次元画像コントローラを備えており、該三次元画像コントローラは、画像プロセッサと、該画像プロセッサに接続されている補正メモリとを備えており、
前記三次元画像コントローラは、画像歪みを補正するために、前記二次元画像データの１つ以上の画素を平行移動するようにプログラムされており、
前記三次元画像コントローラは、画像歪みを補正するために、前記二次元画像データの１つ以上の画素のサイズを変えるようにプログラムされており、
前記三次元画像コントローラは、色収差を補正するために、前記二次元画像データの１つ以上の画素の色を調節するようにプログラムされており、
前記三次元画像コントローラは、輝度歪みを補正するために、前記二次元画像データの１つ以上の画素の輝度を調節するようにプログラムされている
ことを特徴とするゲーム装置。
【請求項８】
請求項１記載のゲーム装置において、該装置はさらに、前記コントローラに接続された一又は複数の制御であって、前記三次元ビデオ画像が人によって操作可能となるようにするための制御を備えていることを特徴とするゲーム装置。
【請求項９】
請求項８記載のゲーム装置において、前記制御は、人の動きに応答する動き感知制御部、人の前記非平面三次元表示画面への接触に応答する接触感知制御部、及び人の目の動きに応答する制御部の内少なくとも１つを備えていることを特徴とするゲーム装置。
【請求項１０】
ゲーム方法であって、
二次元画像データを受信するステップと、
二次元画像データを三次元画像データに変換するステップと、
前記三次元画像データから、ゲームを表す非平面三次元ビデオ画像を非平面三次元表示画面上に発生させるステップであって、前記非平面三次元ビデオ画像が、ビデオ・ポーカ、ビデオ・ブラックジャック、ビデオ・スロット、ビデオ・キーノ、又はビデオ・ビンゴの内の１つを表し、
前記非平面三次元ビデオ画像は、前記ゲームがビデオ・ポーカから成る場合、少なくとも５枚のプレー・カードの画像から成り、
前記非平面三次元ビデオ画像は、前記ゲームがビデオ・スロットから成る場合、複数の模擬したスロット・マシン・リールの画像から成り、
前記非平面三次元ビデオ画像は、前記ゲームがビデオ・ブラックジャックから成る場合、複数のプレー・カードの画像から成り、
前記非平面三次元ビデオ画像は、前記ゲームがビデオ・キーノから成る場合、複数のキーノ番号の画像から成り、
前記非平面三次元画像は、前記ゲームがビデオ・ビンゴから成る場合、ビンゴ格子の画像から成る、
非平面三次元ビデオ画像発生ステップと、
前記非平面三次元ビデオ画像が表す前記ゲームの成果に伴う料金払戻を決定するステップと
からなることを特徴とするゲーム方法。
【請求項１１】
請求項１０記載のゲーム方法において、該方法は更に、前記二次元画像データを前記非平面三次元表示画面上にビデオ画像として表示するとき、前記二次元画像データの画像歪み、輝度歪み、及び色収差の内少なくとも１つを補正するステップを備えていることを特徴とするゲーム方法。
【請求項１２】
請求項１０記載のゲーム方法において、該方法は更に、
画像歪みを補正するために、前記二次元画像データの１つ以上の画素を平行移動するステップと、
画像歪みを補正するために、前記二次元画像データの１つ以上の画素のサイズを変えるステップと、
色収差を補正するために、前記二次元画像データの１つ以上の画素の色を調節するステップと、
輝度歪みを補正するために、前記二次元画像データの１つ以上の画素の輝度を調節するステップと
の１つ以上のステップを備えていることを特徴とするゲーム方法。
【手続補正書】
【提出日】平成19年7月5日(2007.7.5)
【手続補正１】
【補正対象書類名】特許請求の範囲
【補正対象項目名】全文
【補正方法】変更
【補正の内容】
【特許請求の範囲】
【請求項１】
マットであって：
ゴム製の基部層と織物製の上部層とを備え、前記基部層は上面と底面と深さＥとを有し、前記底面は複数の同じサイズおよび形状の円形の凹部を含み、前記複数の凹部の各凹部は垂直な側壁に囲まれた均一な深さＤを有することを特徴とし、前記深さＤは前記基部層の深さＥより小さく、空気の少なくとも一部が前記複数の凹部内から排出されかつ前記マットが面に係合する時、前記複数の凹部は吸引力を提供するマット。
【請求項２】
請求項１記載のマットであって、前記ゴムは硬度が約２０〜７０デュロメータであるマット。
【請求項３】
請求項１記載のマットであって、前記基部層はＥＰＤＭおよびＳＢＲからなる群より選択される材料製であるマット。
【請求項４】
請求項１記載のマットであって、前記底面は滑らかであるマット。
【請求項５】
請求項１記載のマットであって、前記深さＤは約０．１２５インチであり、前記深さＥは約０．１４０〜０．２５０インチであるマット。
【請求項６】
請求項１記載のマットであって、前記複数の凹部の各凹部は円筒状であり、直径が約１インチであるマット。
【請求項７】
請求項１記載のマットであって、前記複数の凹部の各凹部は複数の列状に配置されるマット。
【請求項８】
請求項７記載のマットであって、前記複数の凹部は前記列の最も外側の２列間で間隔Ａ、前記列の残りの列間で間隔Ｂを有するマット。
【請求項９】
請求項８記載のマットであって、前記間隔Ａは約３インチ、前記スペースＢは約６インチであるマット。
【手続補正書】
【提出日】平成19年8月8日(2007.8.8)
【手続補正１】
【補正対象書類名】特許請求の範囲
【補正対象項目名】全文
【補正方法】変更
【補正の内容】
【特許請求の範囲】
【請求項１】
定量噴霧式吸入器中で使用され１以上の抽出性化合物を含む弾性ガスケット材料を、少なくとも４０℃の温度である有機溶媒を含む溶液と接触させ、前記弾性ガスケット材料から前記１以上の抽出性化合物の少なくとも１つの少なくとも一部を抽出することを含む、定量噴霧式吸入器中に使用するための弾性ガスケット材料の製造方法。
【請求項２】
シーリングガスケットを用意し、他のＭＤＩの部品及びエアゾール医薬製剤を用意し、ＭＤＩを組み立てることを含むＭＤＩの製造方法であって、前記シーリングガスケットは、
定量噴霧式吸入器中で使用するように構成され１以上の抽出性化合物を含む弾性ガスケット材料を、前記１以上の抽出性化合物の少なくとも１つの一部を前記弾性ガスケット材料から抽出するのに十分な条件下で有機溶媒を含む溶液と接触させる工程、及び
弾性ガスケット材料からシーリングガスケットを形成する工程
を含む方法に従って作製される、前記製造方法。
【請求項３】
計量弁及びシーリングガスケットでシールされており、噴射剤及び薬物を含むエアゾール医薬製剤を収容しているキャニスターを含む容器であって、前記シーリングガスケットは、
定量噴霧式吸入器中で使用するように構成され１以上の抽出性化合物を含む弾性ガスケット材料を、前記１以上の抽出性化合物の少なくとも１つの一部を前記弾性ガスケット材料から抽出するのに十分な条件下で有機溶媒を含む溶液と接触させる工程、及び
弾性ガスケット材料からシーリングガスケットを形成する工程
を含む方法に従って作製される、前記容器。
【手続補正書】
【提出日】平成19年7月10日(2007.7.10)
【手続補正１】
【補正対象書類名】特許請求の範囲
【補正対象項目名】全文
【補正方法】変更
【補正の内容】
【特許請求の範囲】
【請求項１】
式（I）：
【化１】
2007502259.tif 000001
（式中、
R1は、場合により置換されたC4−12アルキル、C2−10アルキルシクロアルキル、C2−6アルキルヘテロシクロアルキル、C2−6アルキルアリール、場合により置換された5員または6員のアリールまたはヘテロアリール（ただしピリジニルを除く）を表し；
Zは、結合、CH2、O、S、SO、SO2、NR4、OCR4R5、CR4R5Oを表すか、あるいは、Z、R1およびQは、一緒になって、場合により置換された縮合三環式基を形成しており；
Qは、場合により置換された5員または6員のアリールまたはヘテロアリール環を表し；
Xは、COR3を表し；
R2は、CONH2、CO2H、CO2R7、SO2R7またはSO2NR8R9,を表し（ただしXがCONH2である場合、R2はCO2R7ではない）；
R3は、OR6またはNR8R9を表し；
R4およびR5は、互いに独立して、H、C1−6アルキル、またはC1−4アルキルアリールを表し；
R6は、H、またはC1−6アルキルを表し；
R7は、C1−6アルキルを表し；
R8およびR9は互いに独立して、HまたはC1−6アルキルを表すか、あるいは、R8およびR9は、それらが結合している窒素原子と一緒になって、O、SおよびNから選択される1個または複数のさらなるヘテロ原子を場合により含んでいてもよい5員環または6員環を形成しており；
ただし、R1がC4−12アルキルを表す場合、Zは結合、OまたはCH2以外を表す）
で表される化合物、ならびにその生理学上機能的な誘導体（ただし、[3−（アセチルアミノ）−4−シクロヘキシルフェニル]−ブタン二酸および3−（アセチルアミノ）−4−シクロヘキシルフェニル]−ブタン二酸ジエチルエーテル；ブタン二酸[3−メトキシ−4−（フェニルメトキシ）フェニル]；ブタン二酸[4−（フェニルメトキシ）フェニル]およびその生理学上機能的な誘導体を除く）。
【請求項２】
XがCO2Hを表し、かつR2がCONH2を表す、請求項１に記載の化合物。
【請求項３】
Qが置換されていないフェニルを表す、請求項１または請求項２に記載の化合物。
【請求項４】
Zが結合またはOを表す、請求項１〜３のいずれか一項に記載の化合物。
【請求項５】
式（Ia）：
【化２】
2007502259.tif 000002
（式中、
R13は、H、ハロ、CF3、−OCF3、シアノ、ニトロ、OR14、SR15またはCOR16を表し；
R14、R15、R16は独立して、H、C1−6アルキルまたはC1−4アルキルアリールを表す）
で表される請求項1〜４のいずれか一項に記載の化合物、およびその生理学上機能的な誘導体。
【請求項６】
薬剤において使用するための請求項1〜５のいずれか一項に記載の化合物。
【請求項７】
炎症性疾患または自己免疫疾患に罹患しているか、または罹患しやすい動物被験体（ヒトを除く）の治療方法であって、前記動物被験体に有効量の請求項1〜５のいずれか一項に記載の化合物を投与することを含む、前記方法。
【請求項８】
炎症性疾患または自己免疫疾患の治療用薬剤の製造における請求項1〜５のいずれか一項に記載の化合物の使用。
【請求項９】
請求項1〜５のいずれか一項に記載の化合物および製薬上許容可能な担体、ならびに場合により1種または複数の他の治療薬を含む医薬組成物。
【請求項１０】
請求項1に定義した式（I）で表される化合物の調製方法であって、
（A）式（I）（式中、Zは結合を表し、R1は、場合により置換された5員もしくは6員のアリールもしくはヘテロアリールを表す）の化合物を調製するために、式（II）：
【化３】
2007502259.tif 000003
（式中、R2、QおよびXは、式（I）について前に定義したとおりであり、L1は脱離基を表す）
の化合物を、基R1を導入するのに好適な試薬（例えば、化合物R1B（OH）2）と反応させるステップ；あるいは、
（B）（i）式（I）（式中、ZはO、S、SO、SO2、NR4、OCR4R5を表す）の化合物を調製するために、式（III）：
【化４】
2007502259.tif 000004
（式中、R2、QおよびXは、式（I）について前に定義したとおりであり、かつYはOH、SH、NHR4、HOCR4R5を表す）
の化合物を、式（IV）：
R1L2  （IV）
（式中、R1は上記式（I）の化合物について上記で定義したとおりであり、かつL2 は脱離基を表す）
の化合物と反応させ；
（ii）Yが−SHである場合、場合によりその後必要に応じて対応するSOまたはSO2に酸化するステップ；あるいは、
（C）式（I）（式中、Zは、−CR4R5O−を表す）の化合物を調製するために、式（III）（式中、Yは、OHである）の化合物を、式（V）：
R1CR4R5L3  （V）
（式中、R1、R4、R5は式（I）の化合物について上記で定義したとおりであり、かつL3は脱離基を表す）の化合物と反応させるステップ；あるいは
（D）式（I）（ZはCH2であり、かつR1は場合により置換された5員または6員のアリールまたはヘテロアリールを表す）の化合物を調製するために、
（i）式（VI）：
【化５】
2007502259.tif 000005
（式中、Q、XおよびR2は上記に定義したとおりである）の化合物を、場合により置換された5員または6員のアリールまたはヘテロアリール求核試薬、例えば、式（VII）：
【化６】
2007502259.tif 000006
（式中、Aは5員または6員のアリールまたはヘテロアリールであり、R17はHまたは1個もしくは複数の置換基（本明細書中に記載）であり、かつMは例えば、Mg、LiもしくはMgLiのような金属である）の化合物と反応させ；
（ii）生じたアルコールを還元および除去するステップ、あるいは；
（E）保護形態の式（I）の化合物を脱保護するステップ
を含む、前記方法。
【手続補正書】
【提出日】平成19年7月26日(2007.7.26)
【手続補正１】
【補正対象書類名】特許請求の範囲
【補正対象項目名】全文
【補正方法】変更
【補正の内容】
【特許請求の範囲】
【請求項１】
一般式（Ｉ）の化合物で：
【化１】
2007502267.tif 000001
式中Ｒ'は抗癲癇性（ＡＥＤ）、抗痙攣性、神経保護性、神経伝達物質又は神経向性の部分を表し；Ｒは−ＣＨ２ＯＨ、−ＣＨＯ及び−ＣＨ２ＮＨ２からなる群より選ばれる化合物及びそれらの医薬的に許容される塩類。
【請求項２】
式中Ｒ'が抗癲癇薬の部分である、請求項１記載の化合物。
【請求項３】
前記抗癲癇薬はフェニトイン又は他のヒダントイン類；フェノバルビタール又は他のバルビツール酸塩類、ピリミドン、カルバマゼピン及びオキサカルバマゼピン、バルプロ酸又はその誘導体類；オキサゾリジン類；ベンゾジアゼピン類；フェルバメート、ガバペンチン、ラモトリジン、ビガバトリン及び副腎皮質刺激ホルモン（ＡＣＴＨ）からなる群より選ばれる、請求項２記載の化合物。
【請求項４】
式中Ｒ'がγ−アミノ酪酸及び／又はキヌレン酸の部分を表す、請求項１記載の化合物。
【請求項５】
（ａ）ピリドキサール、ピリドキサミン及びピリドキシンからなる群より選ぶ少なくとも１種の物質、それらの医薬的に許容される機能的誘導体及びそれらの塩類；及び（ｂ）少なくとも１種の抗癲癇薬、抗痙攣薬、神経保護薬又は神経向性化合物の物理的混合物を含む組成物。
【請求項６】
成分（ｂ）が抗癲癇薬である、請求項５記載の組成物。
【請求項７】
前記抗癲癇薬は、フェニトイン又は他のヒダントイン類；フェノバルビタール又は他のバルビツール酸塩類、ピリミドン、カルバマゼピン及びオキサカルバマゼピン、バルプロ酸又はその誘導体類；オキサゾリジン類；ベンゾジアゼピン類；フェルバメート、ガバペンチン、ラモトリジン、ビガバトリン及び副腎皮質刺激ホルモン（ＡＣＴＨ）からなる群より選ばれる、請求項６記載の組成物。
【請求項８】
一般式（Ｉ）の化合物の治療的効果量及び医薬的に許容される担体又は賦形剤を含んでいる医薬組成物。
【請求項９】
一般式（Ｉ）の化合物は、付随する抗癲癇性（ＡＥＤ），抗痙攣性、神経保護性、神経伝達物質又は神経向性成分の単回投与につき最大安全量以下である量のＲ'を有している、請求項８記載の医薬組成物。
【請求項１０】
上記の請求項５にて規定したような成分（ａ）及び（ｂ）の治療的効果量及び少なくとも１種の医薬的に許容される担体、希釈剤又は賦形剤を含んでいる医薬組成物。
【請求項１１】
成分（ａ）及び（ｂ）は単回投与において、それら各々の最大安全用量以下が用量中に存在する、請求項１０記載の医薬組成物。
【請求項１２】
一般式（Ｉ）の化合物の治療的効果量を、それを必要としている個体に投与することを含んでいる神経系の病気又は障害の治療法。
【請求項１３】
請求項５の組成物の治療的効果量を、それを必要としている個体に投与することを含んでいる神経系の病気又は障害の治療法。
【請求項１４】
請求項５で規定したような成分（ａ）及び（ｂ）の治療的効果量を別個の組成物としてそれを必要とする個体に同時投与することを含んでいる神経系の病気又は障害の治療方法。
【請求項１５】
前記神経系の病気又は障害が癲癇である、請求項１２から１４のいずれかに記載の方法。
【請求項１６】
被験者に一般式（Ｉ）の化合物の治療的効果量を投与する処置を含んだ癲癇発現の予防、癲癇発現の緩和及び／又は抗癲癇薬の副作用を低減する方法。
【請求項１７】
被験者に（ａ）ピリドキサール、ピリドキサミン及びピリドキシン、それらの医薬的に許容される機能的誘導体及びそれらの塩類からなる群より選んだ少なくとも１種の物質をピリドキシン推奨１日栄養所要量の約２から約５００倍に相当する量とともに（ｂ）少なくとも１種の抗癲癇薬、抗痙攣薬、神経保護薬又は神経向性化合物を投与する処置を含んでいる癲癇発現の予防、癲癇発現の緩和及び／又はＡＥＤｓの副作用を低減する方法。
【請求項１８】
前記化合物又は組成物は経口投与する、請求項１２から１７のいずれかに記載の方法。
【請求項１９】
医薬組成物を調製するための一般式（Ｉ）の化合物の使用。
【請求項２０】
前記医薬組成物が癲癇の治療用である、請求項１９記載の使用。
【手続補正書】
【提出日】平成19年5月8日(2007.5.8)
【手続補正１】
【補正対象書類名】特許請求の範囲
【補正対象項目名】請求項２１
【補正方法】変更
【補正の内容】
【請求項２１】
請求項1〜19のいずれか一項に記載の化合物、薬学的に許容できる塩、互変異性体もしくはプロドラッグまたは請求項20の薬学的組成物を有効成分とする、メラニン凝集ホルモン媒介障害の治療または予防剤。
【手続補正２】
【補正対象書類名】特許請求の範囲
【補正対象項目名】請求項２２
【補正方法】変更
【補正の内容】
【請求項２２】
請求項1〜19のいずれか一項に記載の化合物、薬学的に許容できる塩、互変異性体もしくはプロドラッグまたは請求項20の薬学的組成物を有効成分とする、摂食障害、性障害、生殖障害、うつ病、不安、てんかん発作、高血圧、脳出血、うっ血性心不全および睡眠障害からなる群より選択される状態の治療または予防剤。
【手続補正３】
【補正対象書類名】特許請求の範囲
【補正対象項目名】請求項２３
【補正方法】変更
【補正の内容】
【請求項２３】
状態が摂食障害である、請求項22の治療または予防剤。
【手続補正４】
【補正対象書類名】特許請求の範囲
【補正対象項目名】請求項２４
【補正方法】変更
【補正の内容】
【請求項２４】
摂食障害が肥満、過食症および神経性大食症からなる群より選択される、請求項23の治療または予防剤。
【手続補正５】
【補正対象書類名】特許請求の範囲
【補正対象項目名】請求項２５
【補正方法】変更
【補正の内容】
【請求項２５】
請求項1〜19のいずれか一項に記載の化合物、薬学的に許容できる塩、互変異性体またはプロドラッグを有効成分とする、肥満の治療または予防剤。
【手続補正書】
【提出日】平成19年8月13日(2007.8.13)
【手続補正１】
【補正対象書類名】特許請求の範囲
【補正対象項目名】全文
【補正方法】変更
【補正の内容】
【特許請求の範囲】
【請求項１】
歯牙組織に歯科材料を接合させる方法であって、前記方法が：
接着剤に歯牙組織表面のエッチングを起こさせるのに有効な条件下で、自己エッチング性の非水性接着剤を、湿潤状態で未エッチングの歯牙組織表面に塗布する工程；
前記歯牙組織表面を乾燥させて、その上に第一の接着剤層を形成させる工程；
場合によっては、前記第一の層の上に第二の接着剤を塗布して、その上に第二の接着剤層を形成させる工程；
前記第一の接着剤層、および場合によってはその上に前記第二の接着剤層を有する歯牙組織表面に、歯科材料を適用する工程；および
前記歯科材料と前記歯牙組織との間に接合を形成させるために有効な条件下で、前記接着剤層の少なくとも一方を硬化させる工程、
を含む方法。
【請求項２】
水性希釈剤を未エッチングの歯牙組織表面に塗布して、湿潤状態で未エッチングの歯牙組織表面を得る工程をさらに含む、請求項１に記載の方法。
【請求項３】
前記水性希釈剤が、酸感受性染料、抗菌薬、水溶性モノマー、ｐＨ調節剤、緩衝剤、安定剤、界面活性剤、フルオリドアニオン、フルオリド解放剤、またはそれらの組合せをさらに含む、請求項２に記載の方法。
【請求項４】
前記歯牙組織表面が、エナメル質、象牙質、またはセメント質を含む、請求項１に記載の方法。